(57)【特許請求の範囲】
【請求項１】
物体を拘束するための包装構造体であって、
物体を支持するための支持面を有するプラットフォーム部と、
端フラップ折り目に沿ってプラットフォーム部に折り畳み可能に接続される端フラップ部と、
頂部ヒンジ部分と底部ヒンジ部分との間の第１のヒンジ折り目に沿って互いに折り畳み可能に接続される頂部および底部ヒンジ部分を備えるヒンジ部であって、
プラットフォーム部と頂部ヒンジ部分との間の第２のヒンジ折り目、
プラットフォーム部と頂部ヒンジ部分との間の少なくとも１つの頂部ヒンジ切れ目であって、端フラップ折り目から第２のヒンジ折り目まで延在する少なくとも１つの頂部ヒンジ切れ目、
端フラップ部と底部ヒンジ部分との間の第３のヒンジ折り目、および
端フラップ部と底部ヒンジ部分との間の少なくとも１つの底部ヒンジ切れ目であって、端フラップ折り目から第３のヒンジ折り目まで延在する少なくとも１つの底部ヒンジ切れ目
によって境界づけられるヒンジ部と
を備えるパネルと、ならびに
端フラップ折り目を横切って延在し、端フラップ部に取り付けられ、端フラップ部の外側のパネルに取り付けられるフィルムと
を備え、
包装構造体が、
プラットフォーム部と端フラップ部との間に鋭角を画定するようにプラットフォーム部の支持面から離れて端フラップ折り目に沿って折り畳まれる端フラップ部と、
少なくとも１つの頂部ヒンジ切れ目に沿って頂部ヒンジ部分およびプラットフォーム部を分離し、少なくとも１つの底部ヒンジ切れ目に沿って底部ヒンジ部分および端フラップ部を分離し、かつプラットフォーム部と端フラップ部との間の鋭角内に頂部および底部ヒンジ部分を延長するように、第１、第２、および第３のヒンジ折り目に沿って折り畳まれるヒンジ部と
を有する係合位置にあり、
フィルムが、フィルムとプラットフォーム部との間に支持される物体を拘束するように張力を加えられる、
包装構造体。
【請求項２】
フィルムが、プラットフォーム部と分離したフィルムの少なくとも１つの縁部部分を有する、請求項１に記載の包装構造体。
【請求項３】
少なくとも１つの頂部ヒンジ切れ目が、
プラットフォーム部と頂部ヒンジ部分との間の第１の頂部ヒンジ切れ目であって、端フラップ折り目から第２のヒンジ折り目まで延在する第１の頂部ヒンジ切れ目と、
プラットフォーム部と頂部ヒンジ部分との間の第２の頂部ヒンジ切れ目であって、端フラップ折り目から第２のヒンジ折り目まで延在する第２の頂部ヒンジ切れ目と
を備え、
少なくとも１つの底部ヒンジ切れ目が、
端フラップ部と底部ヒンジ部分との間の第１の底部ヒンジ切れ目であって、端フラップ折り目から第３のヒンジ折り目まで延在する第１の底部ヒンジ切れ目と、
端フラップ部と底部ヒンジ部分との間の第２の底部ヒンジ切れ目であって、端フラップ折り目から第３のヒンジ折り目まで延在する第２の底部ヒンジ切れ目と
を備え、
係合位置において、ヒンジ部が、第１および第２の頂部ヒンジ切れ目に沿って頂部ヒンジ部分およびプラットフォーム部を分離し、かつ第１および第２の底部ヒンジ切れ目に沿って底部ヒンジ部分および端フラップ部を分離するように折り畳まれる、請求項１に記載の包装構造体。
【請求項４】
第１のヒンジ折り目が、第２のヒンジ折り目に平行に方向付けられ、
第３のヒンジ折り目が、第２のヒンジ折り目に平行に方向付けられる、請求項１に記載の包装構造体。
【請求項５】
パネルが、
端フラップ折り目と反対側のプラットフォーム部の端部に方向付けられる追加端フラップ折り目に沿ってプラットフォーム部に折り畳み可能に接続される追加端フラップ部と、
追加頂部ヒンジ部分と追加底部ヒンジ部分との間の追加第１のヒンジ折り目に沿って互いに折り畳み可能に接続される追加頂部および追加底部ヒンジ部分を備える追加ヒンジ部であって、
プラットフォーム部と追加頂部ヒンジ部分との間の追加第２のヒンジ折り目、
プラットフォーム部と追加頂部ヒンジ部分との間の少なくとも１つの追加頂部ヒンジ切れ目であって、追加端フラップ折り目から追加第２のヒンジ折り目まで延在する追加頂部ヒンジ切れ目、
追加端フラップ部と追加底部ヒンジ部分との間の追加第３のヒンジ折り目、および
追加端フラップ部と追加底部ヒンジ部分との間の少なくとも１つの追加底部ヒンジ切れ目であって、追加端フラップ折り目から追加第３のヒンジ折り目まで延在する追加底部ヒンジ切れ目
によって境界づけられる追加ヒンジ部と
をさらに備え、
フィルムが、追加端フラップ折り目を横切って延在し、追加端フラップ部に取り付けられ、
包装構造体が、
プラットフォーム部と追加端フラップ部との間に追加鋭角を画定するようにプラットフォーム部の支持面から離れて追加端フラップ折り目に沿って折り畳まれる追加端フラップ部と、
少なくとも１つの追加頂部ヒンジ切れ目に沿って追加頂部ヒンジ部分およびプラットフォーム部を分離し、少なくとも１つの追加底部ヒンジ切れ目に沿って追加底部ヒンジ部分および追加端フラップ部を分離し、かつプラットフォーム部と追加端フラップ部との間の追加鋭角内に追加頂部および追加底部ヒンジ部分を延長するように、追加第１、追加第２、および追加第３のヒンジ折り目に沿って折り畳まれる追加ヒンジ部と
をさらに有する係合位置にある、請求項１に記載の包装構造体。
【請求項６】
少なくとも１つの追加頂部ヒンジ切れ目が、
プラットフォーム部と追加頂部ヒンジ部分との間の追加第１の頂部ヒンジ切れ目であって、追加端フラップ折り目から追加第２のヒンジ折り目まで延在する追加第１の頂部ヒンジ切れ目と、
プラットフォーム部と追加頂部ヒンジ部分との間の追加第２のヒンジ切れ目であって、追加端フラップ折り目から追加第２のヒンジ折り目まで延在する追加第２のヒンジ切れ目と
を備え、
少なくとも１つの追加底部ヒンジ切れ目が、
追加端フラップ部と追加底部ヒンジ部分との間の追加第１の底部ヒンジ切れ目であって、追加端フラップ折り目から追加第３のヒンジ折り目まで延在する追加第１の底部ヒンジ切れ目と、
追加端フラップ部と追加底部ヒンジ部分との間の追加第２の底部ヒンジ切れ目であって、追加端フラップ折り目から追加第３のヒンジ折り目まで延在する追加第２の底部ヒンジ切れ目と
を備え、
係合位置において、追加ヒンジ部が、追加第１および第２の頂部ヒンジ切れ目に沿って追加頂部ヒンジ部分およびプラットフォーム部を分離し、かつ追加第１および第２の底部ヒンジ切れ目に沿って追加底部ヒンジ部分および追加端フラップ部を分離するように折り畳まれる、請求項５に記載の包装構造体。
【請求項７】
第２のヒンジ折り目が、端フラップ折り目から少なくとも１つの頂部切れ目まで延在し、
第３のヒンジ折り目が、端フラップ折り目から少なくとも１つの底部ヒンジ切れ目まで延在する、請求項１に記載の包装構造体。
【請求項８】
頂部ヒンジ部分が、三角形形状を有し、
底部ヒンジ部分が、三角形形状を有する、請求項７に記載の包装構造体。
【請求項９】
補助頂部ヒンジ部分と補助底部ヒンジ部分との間の補助第１のヒンジ折り目に沿って互いに折り畳み可能に接続される補助頂部および補助底部ヒンジ部分を備える補助ヒンジ部
をさらに備え、補助ヒンジ部が、
プラットフォーム部と補助頂部ヒンジ部分との間の補助第２のヒンジ折り目と、
プラットフォーム部と補助頂部ヒンジ部分との間の少なくとも１つの補助頂部ヒンジ切れ目であって、端フラップ折り目から補助第２のヒンジ折り目まで延在する少なくとも１つの補助頂部ヒンジ切れ目と、
端フラップ部と補助底部ヒンジ部分との間の補助第３のヒンジ折り目と、
端フラップ部と補助底部ヒンジ部分との間の少なくとも１つの補助底部ヒンジ切れ目であって、端フラップ折り目から補助第３のヒンジ折り目まで延在する少なくとも１つの補助底部ヒンジ切れ目と
によって境界づけられる、請求項１に記載の包装構造体。
【請求項１０】
底部ヒンジ部分が、第１のヒンジ折り目と第３のヒンジ折り目との間の第４のヒンジ折り目に沿って互いに折り畳み可能に接続される第１の付属部および第２の付属部を備える、請求項１に記載の包装構造体。
【請求項１１】
パネルが、
端フラップ折り目に直角に方向付けられる側部フラップ折り目によってプラットフォーム部に折り畳み可能に接続される側部フラップ部と、
端フラップ折り目に直角に方向付けられる追加側部フラップ折り目によってプラットフォーム部に、および側部フラップ折り目と反対側のプラットフォーム部の側部に折り畳み可能に接続される追加側部フラップ部と
をさらに備え、
係合位置において、側部フラップ部が、プラットフォーム部の支持面に向かって側部フラップ折り目に沿って折り畳まれ、追加側部フラップ部が、プラットフォーム部の支持面に向かって追加側部フラップ側部フラップ折り目に沿って折り畳まれる、請求項１に記載の包装構造体。
【請求項１２】
係合位置において、側部フラップ部が、プラットフォーム部と側部フラップ部との間に鈍角を形成し、追加側部フラップ部が、プラットフォーム部と追加側部フラップ部との間に追加鈍角を形成する、請求項１１に記載の包装構造体。
【請求項１３】
対向する頂部壁および底部壁、ならびに頂部壁と底部壁との間に延在する対向する第１および第２の側壁を有するボックスであって、頂部壁および第１の側壁が、ボックスの第１のコーナー縁を形成するように第１の縁に沿って出合い、頂部壁および第２の側壁が、ボックスの第２のコーナー縁を形成するように第２の縁に沿って出合うボックスと、
係合位置における請求項１２に記載の包装構造体であって、側部フラップ部が、ボックスの第１のコーナー縁に係合するように延在し、追加側部フラップ部が、ボックスの第２のコーナー縁に係合するように延在する包装構造体と
を備える包装アセンブリ。
【請求項１４】
係合位置における請求項１に記載の包装構造体と、
包装構造体をボックス内の係合位置に保持するように係合位置において包装構造体に対応する内部寸法を有するボックスと
を備える、包装アセンブリ。
【請求項１５】
係合位置に包装構造体を保持するようにボックスの中に請求項１に記載の包装構造体を配置するステップ
を含む物体を包装する方法。
【発明の詳細な説明】
【技術分野】
【０００１】
本開示の主題は、包装アセンブリ、たとえば出荷中に包装物を拘束する包装アセンブリに関する。
【背景技術】
【０００２】
保護包装構造体は、たとえば物理的衝撃、塵、および他の汚染物質から、輸送中に製品を保護するのに役立つように使用され得る。たとえば、製品は、ボックスの内側で製品の移動を拘束するように、かつ製品を保護するように追加の包装材料（たとえば、しわくちゃの紙、空気入りプラスチッククッション、成形フォーム）と共にボックス内に収容され得る。
【０００３】
包装構造体の１つのタイプは、「保持（ｒｅｔｅｎｔｉｏｎ）」包装と呼ばれている。通常の保持包装においては、製品は、フィルムと、フィルムが取り付けられる剛性のバックフレームとの間に保持される。保持包装の例は、米国特許第５，６７８，６９５号明細書、米国特許第５，８９３，４６２号明細書、米国特許第６，０１０，００６号明細書、米国特許第６，１４８，５９０号明細書、米国特許第６，１４８，５９１号明細書、米国特許第６，２８９，６５５号明細書、および米国特許第６，３１１，８４４号明細書においてより詳細に説明されており、そのそれぞれは、参照によりその全体が本明細書に組み込まれる。
【先行技術文献】
【特許文献】
【０００４】
【特許文献１】米国特許第５６７８６９５号明細書
【特許文献２】米国特許第５８９３４６２号明細書
【特許文献３】米国特許第６０１０００６号明細書
【特許文献４】米国特許第６１４８５９０号明細書
【特許文献５】米国特許第６１４８５９１号明細書
【特許文献６】米国特許第６２８９６５５号明細書
【特許文献７】米国特許第６３１１８４４号明細書
【発明の概要】
【発明が解決しようとする課題】
【０００５】
これらの保持構造体は、包装物にあるレベルの保護を与えるが、システム能力向上を可能にする材料の使用の増加を最小限にしながら、たとえば落下などの衝撃に耐えるシステムの能力を高めることによる改善の余地が残されている。
【課題を解決するための手段】
【０００６】
本開示の主題の１つまたは複数の実施形態は、前述の問題の１つまたは複数に対処することができる。
【０００７】
物体を拘束するための包装構造体は、パネルおよびフィルムを備える。パネルは、プラットフォーム部、端フラップ部、およびヒンジ部を備える。プラットフォーム部は、物体を支持するための支持面を有する。端フラップ部は、端フラップ折り目に沿ってプラットフォーム部に折り畳み可能に接続される。ヒンジ部は、頂部ヒンジ部分と底部ヒンジ部分との間の第１のヒンジ折り目に沿って互いに折り畳み可能に接続される頂部および底部ヒンジ部分を備える。ヒンジ部は、（ｉ）プラットフォーム部と頂部ヒンジ部分との間の第２のヒンジ折り目、（ｉｉ）プラットフォーム部と頂部ヒンジ部分との間の少なくとも１つの頂部ヒンジ切れ目であり、端フラップ折り目から第２のヒンジ折り目まで延在する少なくとも１つの頂部ヒンジ切れ目、（ｉｉｉ）端フラップ部と底部ヒンジ部分との間の第３のヒンジ折り目、および（ｉｖ）端フラップ部と底部ヒンジ部分との間の少なくとも１つの底部ヒンジ切れ目であり、端フラップ折り目から第３のヒンジ折り目まで延在する少なくとも１つの底部ヒンジ切れ目によって境界づけられる。
【０００８】
フィルムは、端フラップ折り目を横切って延在し、端フラップ部に取り付けられ、また端フラップ部の外側のパネルに取り付けられる。包装構造体は、（ａ）プラットフォーム部と端フラップ部との間に鋭角を画定するようにプラットフォーム部の支持面から離れて端フラップ折り目に沿って折り畳まれる端フラップ部と、（ｂ）少なくとも１つの頂部ヒンジ切れ目に沿って頂部ヒンジ部分およびプラットフォーム部を分離し、少なくとも１つの底部ヒンジ切れ目に沿って底部ヒンジ部分および端フラップ部を分離し、かつプラットフォーム部と端フラップ部との間の鋭角内に頂部および底部ヒンジ部分を延長するように、第１、第２、および第３のヒンジ折り目に沿って折り畳まれるヒンジ部とを有する係合位置に折り畳み可能である。
【０００９】
係合位置において、ヒンジは、包装構造体を組み込む包装アセンブリに生じる圧縮力または落下力に対する向上した抵抗力、および／またはそれの制動を与えるバネとして機能すると考えられている。いくつかの実施形態においては、この特性は、その上に保持構造体に通常設けられる追加の材料を用いることなく包装構造体に与えられ得る。
【００１０】
本開示の主題のさまざまな実施形態のこれらのおよび他の目的、利点、および特徴は、詳細な説明および図面を参照することによってより容易に理解され、評価されるであろう。
【図面の簡単な説明】
【００１１】
【図１】係合位置における本開示の包装構造体の実施形態の代表的な上面図である。
【図２】包装される対象の物体の挿入前の折り畳まれていない、レイフラット位置における図１の包装構造体の代表的な斜視図である。
【図３】包装される対象の物体の挿入後の折り畳まれていない、レイフラット位置における図２の包装構造体の代表的な斜視図である。
【図４】係合位置の方へ移動されている端フラップおよび側部フラップを有する図３の包装構造体の代表的な斜視図である。
【図５】物体を保持する係合位置における図４の包装構造体の代表的な斜視図である。
【図６】包装される対象の物体の挿入前の折り畳まれていない、レイフラット位置における図１の包装構造体の代表的な上面図である。
【図７】包装構造体がボックス中にも配置された場合の図１の線７−７による代表的な断面図である。
【図８】包装構造体がボックス中にも配置された場合の図１の線８−８による代表的な断面図である。
【図９】折り畳まれていない、レイフラット構成における本開示の包装構造体の他の実施形態の代表的な上面図である。
【図１０】係合位置における図９のヒンジ部の代表的な断面詳細図である。
【図１１】折り畳まれていない、レイフラット構成における本開示の包装構造体のもう１つの他の実施形態の代表的な上面図である。
【図１２】折り畳まれた状態における図１１の包装構造体の代表的な斜視詳細図である。
【図１３】図７に類似するが、側部フラップをボックスのコーナー縁に係合させた、本開示の他の包装構造体の代表的な断面図である。
【発明を実施するための形態】
【００１２】
本明細書において開示された主題のさまざまな態様が、図面を参照して説明される。簡潔性のために、同じ符号が、さまざまな図面の同じ、類似の、または対応する要素を参照するのに使用され得る。図面および詳細な説明は、特許請求された主題を開示された特定の形態に限定することを目的としているものではない。むしろ、特許請求された主題の趣旨および範囲に属する改変、均等物、代替物すべてに適用されることが意図される。
【００１３】
本開示の主題は、物体を拘束するための包装構造体、ならびに包装構造体をボックス内に保持するための包装アセンブリのいくつかの実施形態を教示するものである。包装構造体は、パネル、およびパネルに取り付けられるフィルムを備える。パネルは、より詳細に下記に説明されるように、少なくとも１つの端フラップ、および少なくとも１つのヒンジ部を備える。
【００１４】
包装構造体
開示された主題の実施形態においては、パネル１４は、包装構造体によって拘束される物体１２を支持するための支持面２０を有するプラットフォーム部１８を備える（たとえば、図５を参照されたい）。パネルは、実質的に剛性で軽量で折り畳み可能な材料、たとえば、次の材料のいずれかの１つまたは複数、すなわちセルロース系材料（たとえば、厚板、段ボール、厚紙）、プラスチック、および圧縮発泡体を備える。たとえば、パネル１４は、段ボール、たとえば単層Ｂ段、Ｃ段、および／またはＥ段段ボール、Ｂ／Ｃ二層段ボール、および／またはＥ／Ｂ二層段ボールのいずれかを備えることができる。パネル、および本明細書において説明されたさまざまな実施形態のパネルおよびトレーフレームのいずれかは、たとえば、多くても、かつ／または少なくとも次の厚さ、すなわち０．０３インチ、０．０６インチ、０．１２インチ、０．１８インチ、０．２５インチ、０．３インチ、０．４インチ、および０．５インチのいずれかの平均厚さを有することができる。
【００１５】
プラットフォーム部１８の支持面２０は、添付の図面に示されるように、実質的に連続するプラットフォーム部によって形成され得る。あるいは、プラットフォーム部の支持面は、たとえばプラットフォーム部が窓または他の開口を覆うフィルム材料または他の材料を備える場合には不連続であってもよく、それにより、支持面は、たとえば米国特許第７，０８６，５３４号明細書（たとえば、図２）、米国特許第６，３０２，２７４号明細書（たとえば、図１）、および米国特許第５，３８８，７０１号明細書（たとえば、図１）、および米国特許出願公開第２０１１／０２４０５１５Ａ１号明細書に示されるようなプラットフォーム部のカバー材料によって形成され、その全開示は、参照により本明細書に組み込まれる。
【００１６】
パネル１４は、端フラップ折り目２４に沿ってプラットフォーム部１８に折り畳み可能に接続される端フラップ部２２を備える。端フラップ折り目２４は、パネル１４の外側縁部から離間され、それに平行であることができる。本明細書において使用される（そして破線としてレイフラットの、折り畳まれていない位置の図面に示される）「折り目（ｆｏｌｄ  ｌｉｎｅ）」は、折り目に沿ってパネル、フレーム、または他の材料の折り畳み可能性を高めるように、パネルは折り目を付けられ、端を曲げられ、浮き出しにされ、ミシン目を入れられ、刻み目をつけられ、または別様に弱められ得る線を表わす。たとえば、端フラップ折り目２４は、その長さに沿って部分的に延在する１つまたは複数の貫通スリットを含むことができ、端フラップ部２２がプラットフォーム部１８に折り畳み可能に接続されるように端フラップ部２２をパネル１４のプラットフォーム部１８にしっかりと接続するように端フラップ折り目の十分な部分をそのままにしておく。折り目を通るスリットは、折り畳まれなければならないパネル材料の量を低減することによって、端フラップ折り目２４に沿って第１のフラップを折り畳むことを容易にし得る。本明細書において使用されるように「平行な」または「直角の」などの用語は、平行または直角配向が数学的な正確さを要求することを示すことを意図しておらず、むしろ容器折り畳み分野でこれらの用語の意味の範囲内で一般に受け入れられる、絶対平行または直角からのずれの適度な範囲を受け入れる概略配向を示している。
【００１７】
たとえば、図２と関連して、パネル１４は、頂部ヒンジ部分と底部ヒンジ部分との間の第１のヒンジ折り目３２に沿って互いに折り畳み可能に接続される頂部ヒンジ部分２８および底部ヒンジ部分３０を備えるヒンジ部２６を備える。ヒンジ部２６は、（ｉ）プラットフォーム部１８と頂部ヒンジ部分２８との間の第２のヒンジ折り目３４、（ｉｉ）プラットフォーム部１８と頂部ヒンジ部分２８との間の少なくとも１つの頂部ヒンジ切れ目であり、端フラップ折り目２４から第２のヒンジ折り目３４まで延在する少なくとも１つの頂部ヒンジ切れ目、たとえば、第１の頂部ヒンジ切れ目３６および第２の頂部ヒンジ切れ目３８（図２）、（ｉｉｉ）端フラップ部２２と底部ヒンジ部分３０との間の第３のヒンジ折り目４０、および（ｉｖ）端フラップ部２２と底部ヒンジ部分３０との間の少なくとも１つの底部ヒンジ切れ目であり、端フラップ折り目２４から第３のヒンジ折り目まで延在する少なくとも１つの底部ヒンジ切れ目、たとえば、第１の底部ヒンジ切れ目４２および第２の底部ヒンジ切れ目４４（図２）によって境界づけられる。第２のヒンジ折り目３４は、第１のヒンジ折り目３２に平行に方向付けられ得る。第３のヒンジ折り目４０は、第１のヒンジ折り目３２に平行に方向付けられ得る。
【００１８】
本明細書に使用される（そしてパネル内の実線としてレイフラットの、折り畳まれていない位置の図面に示される）「切れ目（ｃｕｔ  ｌｉｎｅ）」は、パネルが切れ目に沿って（すなわち、手で）容易に分離されるのに適応しているように、パネルがこのような範囲まで切断され、または別様にミシン目を入れられ、折るための切れ目を入れられ、または弱められる線に沿った線を表わす。切れ目は、湾曲されてもまたは直線であってもよい。
【００１９】
パネル１４は、追加端フラップ折り目４８に沿ってプラットフォーム部１８に折り畳み可能に接続される追加端フラップ部４６をさらに備える。追加端フラップ折り目４８は、端フラップ折り目２４と反対側のプラットフォーム部１８の端部に方向付けられ、パネル１４の外側縁部から離間され、それに平行であることができる。
【００２０】
パネル１４は、追加頂部ヒンジ部分と追加底部ヒンジ部分との間の追加第１のヒンジ折り目５６に沿って互いに折り畳み可能に接続される追加頂部ヒンジ部分５２および追加底部ヒンジ部分５４を備える追加ヒンジ部５０をさらに備えることができる。追加ヒンジ部５０は、（ｉ）プラットフォーム部１８と追加頂部ヒンジ部分５２との間の追加第２のヒンジ折り目５８、（ｉｉ）プラットフォーム部１８と追加頂部ヒンジ部分５２との間の少なくとも１つの追加頂部ヒンジ切れ目であり、追加端フラップ折り目４８から追加第２のヒンジ折り目５８まで延在する少なくとも１つの追加頂部ヒンジ切れ目、たとえば、追加第１の頂部ヒンジ切れ目６０および追加第２の頂部ヒンジ切れ目６２（図２）、（ｉｉｉ）追加端フラップ部４６と追加底部ヒンジ部分５４との間の追加第３のヒンジ折り目６４、および（ｉｖ）追加端フラップ部４６と追加底部ヒンジ部分５４との間の少なくとも１つの追加底部ヒンジ切れ目であり、追加端フラップ折り目４８から追加第３のヒンジ折り目６４まで延在する少なくとも１つの追加底部ヒンジ切れ目、たとえば、追加第１の底部ヒンジ切れ目６６および追加第２の底部ヒンジ切れ目６８（図２）によって境界づけられる。
【００２１】
追加第２のヒンジ折り目５８は、追加第１のヒンジ折り目５６に平行に方向付けられ得る。追加第３のヒンジ折り目６４は、追加第１のヒンジ折り目５６に平行に方向付けられ得る。
【００２２】
パネル１４は、側部フラップ部７４および／または追加側部フラップ部７８をさらに備えることができる。側部フラップ部７４は、側部フラップ部折り目７６によってプラットフォーム部１８に折り畳み可能に接続される。側部フラップ折り目７６は、パネル１４の外側縁部から離間され、それに平行であることができる。さらに、側部フラップ折り目７６は、端フラップ折り目２４に直角に方向付けられ得る。側部フラップ部７４は、側部フラップ部７６によってプラットフォーム部１８に折り畳み可能に接続される。追加側部フラップ折り目８０は、パネル１４の外側縁部から離間され、それに平行であることができる。さらに、追加側部フラップ折り目８０は、側部フラップ折り目７６と反対側のプラットフォーム部１８の側部に方向付けられることができ、パネル１４の外側縁部から離間され、それに平行であることができ、端フラップ折り目２４に直角に方向付けられ得る。
【００２３】
フィルム
フィルム１６は、端フラップ折り目２４を横切って延在する。フィルム１６は、第１の取り付け領域８４に沿って端フラップ部２４に取り付けられ、これは、端フラップ部の外側縁部に隣接して配置され得る。また、フィルム１６は、端フラップ部２４の外側に取り付けられる。たとえば、図２に示されるように、フィルム１６は、追加端フラップ折り目４８を横切って延在し、第２の取り付け領域８６に沿って追加端フラップ部４６に取り付けられることができ、これは、追加端フラップ部の外側縁部に隣接して配置され得る。フィルム１６は、プラットフォーム部１８と分離した少なくとも１つの縁部部分８８を有することができ、それによって、物体１２は、フィルム１６とプラットフォーム部１８との間に挿入され得る。
【００２４】
フィルム１６は、下記のもの、すなわち、接着（たとえば、ホットメルト溶着剤による）、にかわ付け、熱溶接、超音波溶接、ステープリング、タッキング、固着、クリッピング（たとえばＪｏｎｅｓに対する米国特許第５，６９４，７４４号明細書を参照されたく、これは、参照によりその全体が本明細書に組み込まれている）、アンカリング（たとえば米国特許出願公開第２０１１／０２４０５１５Ａ１号明細書の図１７〜図１９および先に参照により組み込まれている対応する議論を参照されたい）、保持、および／または緊締（たとえば２００４年６月１０日に公開されたＭｃＤｏｎａｌｄらに対する米国特許出願公開第２００４／０１０８２３９Ａ１号明細書を参照されたく、これは、参照によりその全体が本明細書に組み込まれており、これは、その中で図２４〜図２５に示されるフラップを受け入れるためのポケットまたはパウチを有するスリーブ、およびその中に関連する議論を開示している）のいずれかの１つまたは複数によって、たとえば取り付け領域においてパネル１４に取り付けられ得る。本明細書において説明された任意の実施形態のフィルムは、本明細書において説明された取り付け方法のいずれかの１つまたは複数によって取り付けられ得る。
【００２５】
取り付け領域８４、８６は、接着剤９０（図８）を備えることができ、対応する端フラップ部の外側縁部の長さに沿って連続的に（たとえば、図２に示されるように）または間欠的に（図示せず）延在することができる。フィルムをパネルに取り付けるための接着剤の有用なタイプは、当業者に知られており、もちろん接着される対象の材料の組成に依存する。たとえば、ポリウレタン系フィルムは、水性脂肪族ポリウレタン分散などのポリウレタン系接着剤で接着され得る。
【００２６】
図９〜図１０
（図９〜図１０の包装構造体１１０を参照して）ヒンジ部の実施形態においては、ヒンジ部１１２は、頂部ヒンジ部分と底部ヒンジ部分との間の第１のヒンジ折り目３２に沿って互いに折り畳み可能に接続される頂部および底部ヒンジ部分２８、３０を備える。この実施形態は、図２のヒンジ部２６に類似しており、ただし図９〜図１０の実施形態の場合は、底部ヒンジ部分３０は、第４のヒンジ折り目１１４に沿って互いに折り畳み可能に接続される第１の付属的部分１１６および第２の付属的部分１１８を備える。第４のヒンジ折り目は、第１のヒンジ折り目３２と第３のヒンジ折り目４０との間にある。第４のヒンジ折り目１１４は、第１のヒンジ折り目３２に平行に方向付けられ得る。第４のヒンジ折り目１１４は、第３のヒンジ折り目４０に平行に方向付けられ得る。
【００２７】
包装構造体１１０は、追加端フラップ部４６と、プラットフォーム部および追加端フラップ部を折り畳み可能に接続する追加端フラップ折り目４８に対応する追加ヒンジ部１２０とをさらに備え、追加ヒンジ部１２０は、追加端フラップ部４６とプラットフォーム部１８との間にある（図９）。追加ヒンジ部１２０は、図９に示されるようにヒンジ部１１２に対応する構造体を有することができる。
【００２８】
図１１〜図１２
（図１１〜図１２の包装構造体７０を参照して）ヒンジ部のもう１つ実施形態においては、ヒンジ部７２は、頂部ヒンジ部分と底部ヒンジ部分との間の第１のヒンジ折り目３２に沿って互いに折り畳み可能に接続される頂部および底部ヒンジ部分２８、３０を備える。ヒンジ部７２は、（ｉ）プラットフォーム部１８と頂部ヒンジ部分２８との間の第２のヒンジ折り目３４、（ｉｉ）プラットフォーム部１８と頂部ヒンジ部分２８との間の頂部ヒンジ切れ目３６であり、端フラップ折り目２４から第２のヒンジ折り目３４まで延在する頂部ヒンジ切れ目３６、（ｉｉｉ）端フラップ部２２と底部ヒンジ部分３０との間の第３のヒンジ折り目４０、および（ｉｖ）端フラップ部２２と底部ヒンジ部分３０との間の底部ヒンジ切れ目であり、端フラップ折り目２４から第３のヒンジ折り目４０まで延在する底部ヒンジ切れ目によって境界づけられる。
【００２９】
しかし、この実施形態においては、第２のヒンジ折り目３４は、第１のヒンジ折り目３２に平行に方向付けられておらず、むしろ、第２のヒンジ折り目３４は、端フラップ折り目２４から第１の頂部ヒンジ切れ目３６まで延在する。さらに、第３のヒンジ折り目４０は、第１のヒンジ折り目３２に平行に方向付けられておらず、むしろ、第３のヒンジ折り目４０は、端フラップ折り目２４から第１の底部ヒンジ切れ目４２まで延在する。頂部ヒンジ部分２８は、三角形形状を有し、底部ヒンジ部分３０は、三角形形状を有する。
【００３０】
本開示の主題のもう１つの態様においては、包装構造体は、同じヒンジ折り目に対応する２つ以上のヒンジ部を備えることができる。たとえば、図１１〜図１２に示されるように、包装構造体７０は、ヒンジ部７２と、同じヒンジ折り目２４に対応する補助ヒンジ部９４を備える。２つ以上のヒンジ部は、本明細書において説明されるヒンジ部の任意の組合せを備えることができる。
【００３１】
補助ヒンジ部９４は、補助頂部ヒンジ部分９６と、補助頂部ヒンジ部分９６と補助底部ヒンジ部分９８との間の補助ヒンジ折り目１００に沿って互いに折り畳み可能に接続される補助底部ヒンジ部分９８とを備える。補助ヒンジ部９４は、（ｉ）プラットフォーム部１８と補助頂部ヒンジ部分９６との間の補助第２のヒンジ折り目、たとえば、端フラップ折り目２４から第１の補助頂部ヒンジ切れ目１０４まで延在する補助第２のヒンジ折り目１０２、（ｉｉ）プラットフォーム部１８と補助頂部ヒンジ部分９６との間の少なくとも１つの補助頂部ヒンジ切れ目１０４であり、端フラップ折り目２４から補助第２のヒンジ折り目１０２まで延在する少なくとも１つの補助頂部ヒンジ切れ目１０４、（ｉｉｉ）端フラップ部２２と補助底部ヒンジ部分９８との間の補助第３のヒンジ折り目、たとえば、端フラップ折り目２４から第１の補助底部ヒンジ切れ目１０８まで延在する補助第３のヒンジ折り目１０６、および（ｉｖ）端フラップ部２２と補助底部ヒンジ部分９６との間の少なくとも１つの補助底部ヒンジ切れ目１０８であり、端フラップ折り目２４から補助第３のヒンジ折り目１０６まで延在する少なくとも１つの補助底部ヒンジ切れ目１０８、によって境界づけられる。
【００３２】
包装構造体７０は、追加端フラップ部４６と、プラットフォーム部および追加端フラップ部を折り畳み可能に接続する追加端フラップ折り目４８に共に対応するおよび補助ヒンジ部１１０および１１２とをさらに備え、補助ヒンジ部１１０および１１２は共に、追加端フラップ部４６とプラットフォーム部１８との間にある（図１１）。
【００３３】
包装構造体係合位置
本開示である包装構造体は、たとえばレイフラットの、折り畳まれていない位置（たとえば、図２〜図３、図６、図９、図１１）から係合位置（たとえば、図１、図５、図７〜図８、図１３）まで折り畳み可能であり、図１、図５、および図７〜図８と関連して、
（ｉ）端フラップ部２２は、プラットフォーム部１８と端フラップ部２２との間に鋭角９２を画定するようにプラットフォーム部１８の支持面２０から離れて端フラップ折り目２４に沿って折り畳まれ、
（ｉｉ）ヒンジ部は、少なくとも１つの頂部ヒンジ切れ目に沿って、たとえば第１の頂部ヒンジ切れ目３６に沿っておよび第２の頂部ヒンジ切れ目３８に沿って頂部ヒンジ部分２８およびプラットフォーム部１８を分離し、かつ少なくとも１つの底部ヒンジ切れ目に沿って、たとえば第１の底部ヒンジ切れ目４２に沿っておよび第２の底部ヒンジ切れ目４４に沿って底部ヒンジ部分３０および端フラップ部２２を分離し、プラットフォーム部１８と端フラップ部２２との間の鋭角９２内に頂部および底部ヒンジ部分２８、３０を延長するように、第１のヒンジ折り目３２、第２のヒンジ折り目３４、および第３のヒンジ折り目４０に沿って折り畳まれる。
【００３４】
包装構造体は、係合位置にさらに折り畳まれることができ、図１、図５、および図７〜図８と関連して、
（ｉ）追加端フラップ部４６は、プラットフォーム部１８と追加端フラップ部４６との間に鋭角９２を画定するようにプラットフォーム部１８の支持面２０から離れて追加端フラップ折り目４８に沿って折り畳まれ、
（ｉｉ）追加ヒンジ部は、少なくとも１つの追加頂部ヒンジ切れ目に沿って、たとえば、追加第１の頂部ヒンジ切れ目６０に沿っておよび追加第２の頂部ヒンジ切れ目６２に沿って追加頂部ヒンジ部分５２およびプラットフォーム部１８を分離し、かつ少なくとも１つの追加底部ヒンジ切れ目に沿って、たとえば、追加第１の底部ヒンジ切れ目６６に沿っておよび追加第２の底部ヒンジ切れ目６８に沿って追加底部ヒンジ部分５４および追加端フラップ部４６を分離し、プラットフォーム部１８と追加端フラップ部４６との間の鋭角９２内に追加頂部および追加底部ヒンジ部分５２、５４を延長するように、追加第１のヒンジ折り目５６、追加第２のヒンジ折り目５８、および追加第３のヒンジ折り目６４に沿って折り畳まれる。
【００３５】
包装構造体の係合位置において、フィルム１６は、フィルム１６とプラットフォーム部１８との間に物体１２を拘束するように張力を加えられ得る（図５、図７〜図８）。
【００３６】
係合位置において、側部フラップ部７４は、プラットフォーム部１８の支持面２０に向かって対応する側部フラップ折り目７６に沿って折り畳まれることができ、追加側部フラップ部７８は、プラットフォーム部１８の支持面２０に向かって追加側部フラップ側部フラップ折り目８０に沿って折り畳まれ得る。側部フラップ部７４および追加側部フラップ部７８は、１つまたは両方が、たとえば図７に示されるようにプラットフォーム部１８に対して鋭角を１２２を形成するように折り畳まれ得る。あるいは、係合位置において、側部フラップ部７４および追加側部フラップ部７８は、１つまたは両方が、たとえば図１３に示されるようにプラットフォーム部１８に対して鈍角１２４を形成するように折り畳まれ得る。
【００３７】
包装アセンブリ
包装アセンブリは、ボックスと、たとえば包装構造体が係合位置にある場合にボックスに取り付けられた、本明細書において説明された包装構造体のいずれかとを備えることができる。
【００３８】
たとえば、包装アセンブリ１２６（図７〜図８）は、係合位置においてボックス１２８に取り付けられ、かつ物体１２を拘束する包装構造体１０を有する。ボックス１２８は、ボックス内で包装構造体を係合位置に保持するように包装構造体１０に対応する内部寸法を有する。ボックスは、対向する頂部壁１３２および底部壁１３４、ならびに頂部壁と底部壁との間に延在する対向する第１の側壁１３６および第２の側壁１３８を有する。頂部壁１３２および第１の側壁１３６は、ボックス１２８の第１のコーナー縁１４２を形成するように第１の縁１４０に沿って出合う。頂部壁１３２および第２の側壁１３８は、ボックス１２８の第２のコーナー縁１４６を形成するように第２の縁１４４に沿って出合う。
【００３９】
図７に見られるように、頂部壁１３２は、プラットフォーム部１８に対して鋭角１２２を形成する係合位置に側部フラップ部７４および追加側部フラップ部７８を維持する。
【００４０】
あるいは、包装アセンブリ１３０についての図１３に見られるように、頂部壁１３２は、プラットフォーム部１８に対して鈍角１２４を形成する係合位置に側部フラップ部７４および追加側部フラップ部７８を維持する。この係合位置構成においては、側部フラップ部７４は、ボックス１２８の第１のコーナー縁１４２に係合するように延在し、追加側部フラップ部７８は、ボックス１２８の第２のコーナー縁１４６に係合するように延在する。したがって、側部フラップ部７４および追加側部フラップ部７８は、ボックス１２８の中に係合された包装構造体１０を補強するのを助けるように作用し得る。
【００４１】
包装アセンブリ実施形態のいずれかにおいては、包装構造体は、係合位置に端フラップ部、追加端フラップ部、側部フラップ部、追加側部フラップ部のいずれかを維持するようにボックスの中に係合位置に取り付けられ得る（図７〜図８、図１３）。係合位置におけるフラップ部は、パネル１４が作られる材料の固有の特性により、拘束されていない場合には、予め折り畳まれたレイフラット位置に向かって戻ろうとする傾向またはバイアスを有することができる。ボックスの壁は、壁を通り過ぎたフラップ部の移動を阻止するように包装アセンブリを囲い、それによって、係合位置にそれらを維持するようにフラップ部を拘束する。
【００４２】
示されているボックス１２８は、多面体形状の貯蔵区画を備え、その中で、側壁、底部壁、および頂部壁（すなわち、閉鎖フラップ）は、多角形形状（たとえば、長方形）である。有用なボックス型は、当業者に知られており、ＲＳＣ（レギュラースロッテドコンテナ）型、ＲＥＬＦ（ロールエンドロックフロント）型、ＲＥＴＴ（ロールアンドエンドタックトップ）型、およびＳＴＥ（スタンダードタックトップ）型の容器を含む。
【００４３】
フィルム材料および特性
フィルム１６は、予期される使用について所与の包装用途に受け入れられる性能特性（たとえば、可撓性、弾性、光学的諸特性、強度）を与える組成および厚さを有することができる。フィルムは、多くても、１０ミル、６ミル、５ミル、４ミル、３ミル、２ミル、１．５ミル、および１ミルのいずれかの厚さを有することができる（１「ミル」は、０．００１インチに等しい）。また、フィルムは、少なくとも、０．５ミル、１ミル、１．５ミル、２ミル、および３ミルのいずれかの厚さを有することができる。
【００４４】
フィルムは、次の値、すなわち、ひずみ１００％、緩和時間３０秒、および回復時間６０秒でＡＳＴＭ  Ｄ５４５９に従って測定して、６０％、６５％、７０％、７５％、８０％、および８５％の少なくともいずれかの横方向および長手方向のどちらかまたは両方の弾性回復率を有することができる。
【００４５】
フィルムは、次の値、すなわち、ＡＳＴＭ  Ｄ１００４に従って測定して、４００、４５０、５００、５５０、および６００グラム重の少なくともおよそいずれかの横方向および長手方向のどちらかまたは両方の最大負荷引き裂き抵抗を有することができる。
【００４６】
フィルムは、次の値、すなわち、５インチ／分のクロスヘッド速度を用いてＡＳＴＭ  Ｆ１３０６に従って測定して、４、４．５、５、５．５、６、６．５、および７ポンド重の少なくともおよそいずれかスローパンクチャー最大負荷を有することができる。
【００４７】
フィルムは、予期される取扱いおよび使用条件に耐えるのに十分なヤング率を有することができ、さらに、包装用途に望ましい場合がある「柔らかい」感触を与えることができる。フィルムは、次の値、すなわち、２０００、２５００、３０００、３５００、および４０００ポンド／平方インチの少なくともいずれかのヤング率を有することができる。フィルムは、次の値、すなわち、８０００、１００００、１５０００、２００００、３００００、および４００００ポンド／平方インチの多くてもいずれかのヤング率を有することができる。ヤング率は、７３°Ｆの温度で測定して、ＡＳＴＭ  Ｄ８８２に従って測定される。
【００４８】
フィルムは、包装された物品（たとえば、製品８）がフィルムを通して視認できるように透明であることができる。本明細書において使用される「透明な（ｔｒａｎｓｐａｒｅｎｔ）」とは、散乱が無視でき、ほとんど吸収のない入射光を材料が透過させることを意味し、それによって物体は、通常の補助器具を用いない観察条件（たとえば、予期される材料の使用条件）下で材料を通してはっきりと見ることができるようになる。フィルムの透明度（すなわち、透明さ）は、次の値、すなわち、ＡＳＴＭ  Ｄ１７４６に従って測定して、６５％、７０％、７５％、８０％、８５％、および９０％の少なくともおよそいずれかであることができる。
【００４９】
フィルムは、熱収縮特性を有することができる。たとえば、フィルムは、下記のもの、すなわち７％、１０％、１５％、２０％、２５％、３０％、４０％、５０％、５５％、６０％、および６５％の少なくともいずれかについて１６０°Ｆおよび１８０°Ｆのいずれかで測定して、少なくとも２つの方向（すなわち、機械方向および横方向）のそれぞれにおいて、少なくとも１つの方向（すなわち、機械方向または横方向）に自由収縮のいずれかを有することができる。あるいは、フィルムは、非熱収縮性であり得る（すなわち、１６０°Ｆで測定して５％よりも小さい全自由収縮を有する）。別段の指示がない限り、本出願における自由収縮の各基準は、ＡＳＴＭ  Ｄ２７３２に従って選択された熱（すなわち、ある温度曝露において）を受けた場合に１０ｃｍ×１０ｃｍ試験片の寸法変化率を測定することによって決定された自由収縮を意味する。
【００５０】
フィルムは、たとえば、下記のもの、すなわち織布、ニット、不織布、および透かし織りメッシュ（たとえば、網）、Ｌｙｃｒａ（Ｒ）ブランドスパンデックスを含むスパンデックス、および弾性布のうちの１つまたは複数などの、１つまたは複数の織物を含むことができる。
【００５１】
フィルムは、１つまたは複数のポリマー、たとえば、次のポリマー、すなわち熱可塑性ポリマー、ポリオレフィン、ポリエチレンホモポリマー（たとえば、低密度ポリエチレン）、ポリエチレンコポリマー（たとえば、エチレン／α−オレフィンコポリマー（「ＥＡＯ」）、エチレン／不飽和エステルコポリマー、およびエチレン／（メタ）アクリル酸）ポリプロピレンホモポリマー、ポリプロピレンコポリマー、ポリ塩化ビニル、さまざまなタイプの天然または合成ゴム（たとえば、スチレン−ブタジエンゴム、ポリブタジエン、ネオプレンゴム、ポリイソプレンゴム、エチレン−プロピレンジエンモノマー（ＥＰＤＭ）ゴム、ポリシロキサン、ニトリルゴム、およびブチルゴム）、ならびにポリウレタン（すなわち、ポリウレタン、ポリエーテルポリウレタン、ポリエステルポリウレタン、およびポリカーボネートポリウレタンのうちの任意の１つまたは複数、そのいずれかは、脂肪族および／または芳香族であってもよい）のいずれかの１つまたは複数を含むことができる。また、フィルムは、熱可塑性ポリオレフィンエラストマー（ＴＰＯ）を含むことができ、これは、（ポリプロピレンまたはポリエチレンなどの）熱可塑性ポリオレフィンに微分散された（ＥＰＤＭなどの）エラストマーを含む二成分エラストマー系である。本出願に使用される「コポリマー」は、単量体の２つ以上のタイプから誘導されるポリマーを意味し、３元共重合体等を含む。
【００５２】
ポリオレフィン（たとえば、ポリエチレン）、ポリ塩化ビニル、および／またはポリウレタンを含むフィルムは、たとえば、２ミルから４ミルのシート厚さが妥当であり得る場合に軽量用途に有用であり得る。ポリウレタンを含むフィルムは、望ましいエラストマー特性、耐穿孔性、耐熱性、および粘着特性を与えることができる。
【００５３】
フィルムは、粘着性付与剤、アンチブロッキング剤、およびスリップ剤のうちの１つまたは複数について有効な量を含むことができ、または、本質的にこれらの構成要素のいずれもがなくてもよい。粘着性付与剤、アンチブロッキング剤、およびスリップ剤、ならびにそれらの有効な量は、当業者に知られている。
【００５４】
フィルムは、当技術分野で公知の熱可塑性フィルム形成プロセス（たとえば、管状またはインフレーションフィルム押出し成形、共押出し、押出コーティング、フラットまたはキャストフィルム押出）によって製造され得る。また、これらのプロセスの組合せが使用され得る。
【００５５】
フィルムの少なくとも１つの面は、たとえば、パネルに接着するフィルムの能力を増大させるように、シートの表面エネルギーを変えるようにコロナおよび／またはプラズマ処理され得る。
【００５６】
有用であり得るフィルムは、２００５年７月５日に発行され、「Ｐａｃｋａｇｉｎｇ  Ｓｔｒｕｃｔｕｒｅ  Ｈａｖｉｎｇ  ａ  Ｆｒａｍｅ  ａｎｄ  Ｆｉｌｍ」という表題の米国特許第６，１９３，１４７号明細書に説明されている。
【００５７】
本明細書において説明された実施形態のいずれかのフィルムは、材料、厚さ、組成、およびフィルム１６に関して本明細書において説明された他の特性を備えることができる。
【００５８】
包装構造体の製造
当業者に周知のタイプの機械を用いることによって、パネル１４は、公知のタイプの機械を用いて、たとえばパネルの所望の領域を切断し、切り開き、折り目を付け、端を曲げ、浮き出しにし、ミシン目を入れ、刻み目をつけ、または別様に弱められるように所望の形状に切断され、折り目または切れ目が形成され得る。接着剤９０が、選択された領域においてパネル１４に塗布され得る。フィルム１６は、当技術分野で公知の方法を用いてパネルに接着剤９０でシートを接着することによって、パネル１４に積層され得る。
【００５９】
包装アセンブリの使用法
包装アセンブリの使用においては、包装構造体は、図２に示されるようにレイフラット形態で形成され得る。包装される対象の物体１２は、本明細書において説明された包装構造体の実施形態のいずれかのフィルムとプラットフォーム部１８との間に配置され得る。次いで、包装構造体は、本明細書において説明されたようにフィルムに張力を加え、かつフィルムとプラットフォーム部との間に物体を拘束するように、係合位置に配置され得る。次いで、物体を拘束する包装構造体は、係合位置に包装構造体を保持するようにボックス内に配置され得る。
【００６０】
開示された主題のさまざまな実施形態
次の文は、開示された主題のさまざまな実施形態を記述している。
Ａ．  物体を拘束するための包装構造体であり、
物体を支持するための支持面を有するプラットフォーム部と、
端フラップ折り目に沿ってプラットフォーム部に折り畳み可能に接続される端フラップ部と、
頂部ヒンジ部分と底部ヒンジ部分との間の第１のヒンジ折り目に沿って互いに折り畳み可能に接続される頂部および底部ヒンジ部分を備えるヒンジ部であり、
プラットフォーム部と頂部ヒンジ部分との間の第２のヒンジ折り目、
プラットフォーム部と頂部ヒンジ部分との間の少なくとも１つの頂部ヒンジ切れ目であり、端フラップ折り目から第２のヒンジ折り目まで延在する少なくとも１つの頂部ヒンジ切れ目、
端フラップ部と底部ヒンジ部分との間の第３のヒンジ折り目、および
端フラップ部と底部ヒンジ部分との間の少なくとも１つの底部ヒンジ切れ目であり、端フラップ折り目から第３のヒンジ折り目まで延在する少なくとも１つの底部ヒンジ切れ目
によって境界づけられるヒンジ部と
を備えるパネルと、
ならびに、
端フラップ折り目を横切って延在し、端フラップ部に取り付けられ、端フラップ部の外側のパネルに取り付けられるフィルムと
を備える包装構造体であって、
プラットフォーム部と端フラップ部との間に鋭角を画定するようにプラットフォーム部の支持面から離れて端フラップ折り目に沿って折り畳まれる端フラップ部と、
少なくとも１つの頂部ヒンジ切れ目に沿って頂部ヒンジ部分およびプラットフォーム部を分離し、少なくとも１つの底部ヒンジ切れ目に沿って底部ヒンジ部分および端フラップ部を分離し、かつプラットフォーム部と端フラップ部との間の鋭角内に頂部および底部ヒンジ部分を延長するように、第１、第２、および第３のヒンジ折り目に沿って折り畳まれるヒンジ部と
を有する係合位置に折り畳み可能である、包装構造体。
Ｂ．  フィルムが、プラットフォーム部と分離したフィルムの少なくとも１つの縁部部分を有し、それによって物体が、フィルムとプラットフォーム部との間に挿入され得る、文Ａに記載の包装構造体。
Ｃ．  係合位置において、フィルムが、フィルムとプラットフォーム部との間に支持される物体を拘束するように張力を加えられる、前文のいずれか１つに記載の包装構造体。
Ｄ．  少なくとも１つの頂部ヒンジ切れ目が、
プラットフォーム部と頂部ヒンジ部分との間の第１の頂部ヒンジ切れ目であり、端フラップ折り目から第２のヒンジ折り目まで延在する第１の頂部ヒンジ切れ目と、
プラットフォーム部と頂部ヒンジ部分との間の第２の頂部ヒンジ切れ目であり、端フラップ折り目から第２のヒンジ折り目まで延在する第２の頂部ヒンジ切れ目と
を備え、
少なくとも１つの底部ヒンジ切れ目が、
端フラップ部と底部ヒンジ部分との間の第１の底部ヒンジ切れ目であり、端フラップ折り目から第３のヒンジ折り目まで延在する第１の底部ヒンジ切れ目と、
端フラップ部と底部ヒンジ部分との間の第２の底部ヒンジ切れ目であり、端フラップ折り目から第３のヒンジ折り目まで延在する第２の底部ヒンジ切れ目と
を備え、
係合位置において、ヒンジ部が、第１および第２の頂部ヒンジ切れ目に沿って頂部ヒンジ部分およびプラットフォーム部を分離し、かつ第１および第２の底部ヒンジ切れ目に沿って底部ヒンジ部分および端フラップ部を分離するように折り畳まれる、前文のいずれか１つに記載の包装構造体。
Ｅ．  第１のヒンジ折り目が、第２のヒンジ折り目に平行に方向付けられ、
第３のヒンジ折り目が、第２のヒンジ折り目に平行に方向付けられる、前文のいずれか１つに記載の包装構造体。
Ｆ．  パネルが、
端フラップ折り目と反対側のプラットフォーム部の端部に方向付けられる追加端フラップ折り目に沿ってプラットフォーム部に折り畳み可能に接続される追加端フラップ部と、
追加頂部ヒンジ部分と追加底部ヒンジ部分との間の追加第１のヒンジ折り目に沿って互いに折り畳み可能に接続される追加頂部および追加底部ヒンジ部分を備える追加ヒンジ部であり、
プラットフォーム部と追加頂部ヒンジ部分との間の追加第２のヒンジ折り目、
プラットフォーム部と追加頂部ヒンジ部分との間の少なくとも１つの追加頂部ヒンジ切れ目であり、追加端フラップ折り目から追加第２のヒンジ折り目まで延在する少なくとも１つの追加頂部ヒンジ切れ目、
追加端フラップ部と追加底部ヒンジ部分との間の追加第３のヒンジ折り目、および
追加端フラップ部と追加底部ヒンジ部分との間の少なくとも１つの追加底部ヒンジ切れ目であり、追加端フラップ折り目から追加第３のヒンジ折り目まで延在する少なくとも１つの追加底部ヒンジ切れ目
によって境界づけられる追加ヒンジ部と
をさらに備え、
フィルムが、追加端フラップ折り目を横切って延在し、追加端フラップ部に取り付けられ、
包装構造体が、
プラットフォーム部と追加端フラップ部との間に追加鋭角を画定するようにプラットフォーム部の支持面から離れて追加端フラップ折り目に沿って折り畳まれる追加端フラップ部と、
少なくとも１つの追加頂部ヒンジ切れ目に沿って追加頂部ヒンジ部分およびプラットフォーム部を分離し、少なくとも１つの追加底部ヒンジ切れ目に沿って追加底部ヒンジ部分および追加端フラップ部を分離し、かつプラットフォーム部と追加端フラップ部との間の追加鋭角内に追加頂部および追加底部ヒンジ部分を延長するように、追加第１、追加第２、および追加第３のヒンジ折り目に沿って折り畳まれる追加ヒンジ部と
を有する係合位置にさらに折り畳み可能である、前文のいずれか１つに記載の包装構造体。
Ｇ．  フィルムが、プラットフォーム部と分離したフィルムの少なくとも１つの縁部部分を有し、それによって物体が、フィルムとプラットフォーム部との間に挿入され得る、文Ｆに記載の包装構造体。
Ｈ．  係合位置において、フィルムが、フィルムとプラットフォーム部との間に支持される物体を拘束するように張力を加えられる、文Ｆおよび文Ｇのいずれか１つに記載の包装構造体。
Ｉ．  少なくとも１つの追加頂部ヒンジ切れ目が、
プラットフォーム部と追加頂部ヒンジ部分との間の追加第１の頂部ヒンジ切れ目であり、追加端フラップ折り目から追加第２のヒンジ折り目まで延在する追加第１の頂部ヒンジ切れ目と、
プラットフォーム部と追加頂部ヒンジ部分との間の追加第２のヒンジ切れ目であり、追加端フラップ折り目から追加第２のヒンジ折り目まで延在する追加第２のヒンジ切れ目と
を備え、
少なくとも１つの追加底部ヒンジ切れ目が、
追加端フラップ部と追加底部ヒンジ部分との間の追加第１の底部ヒンジ切れ目であり、追加端フラップ折り目から追加第３のヒンジ折り目まで延在する追加第１の底部ヒンジ切れ目と、
追加端フラップ部と追加底部ヒンジ部分との間の追加第２の底部ヒンジ切れ目であり、追加端フラップ折り目から追加第３のヒンジ折り目まで延在する追加第２の底部ヒンジ切れ目と
を備え、
係合位置において、追加ヒンジ部が、追加第１および第２の頂部ヒンジ切れ目に沿って追加頂部ヒンジ部分およびプラットフォーム部を分離し、かつ追加第１および第２の底部ヒンジ切れ目に沿って追加底部ヒンジ部分および追加端フラップ部を分離するように折り畳まれる、文Ｆから文Ｈのいずれか１つに記載の包装構造体。
Ｊ．  追加第１のヒンジ折り目が、追加第２のヒンジ折り目に平行に方向付けられ、
追加第３のヒンジ折り目が、追加第２のヒンジ折り目に平行に方向付けられる、文Ｆから文Ｉのいずれか１つに記載の包装構造体。
Ｋ．  第２のヒンジ折り目が、端フラップ折り目から少なくとも１つの頂部切れ目まで延在し、
第３のヒンジ折り目が、端フラップ折り目から少なくとも１つの底部ヒンジ切れ目まで延在する、文Ａから文Ｄ、および文Ｆから文Ｉのいずれか１つに記載の包装構造体。
Ｌ．  頂部ヒンジ部分が、三角形形状を有し、
底部ヒンジ部分が、三角形形状を有する、文Ａから文Ｄ、文Ｆから文Ｉ、および文Ｋのいずれか１つに記載の包装構造体。
Ｍ．  補助頂部ヒンジ部分と補助底部ヒンジ部分との間の補助第１のヒンジ折り目に沿って互いに折り畳み可能に接続される補助頂部および補助底部ヒンジ部分を備える補助ヒンジ部
をさらに備え、補助ヒンジ部が、
プラットフォーム部と補助頂部ヒンジ部分との間の補助第２のヒンジ折り目と、
プラットフォーム部と補助頂部ヒンジ部分との間の少なくとも１つの補助頂部ヒンジ切れ目であり、端フラップ折り目から補助第２のヒンジ折り目まで延在する少なくとも１つの補助頂部ヒンジ切れ目と、
端フラップ部と補助底部ヒンジ部分との間の補助第３のヒンジ折り目と、
端フラップ部と補助底部ヒンジ部分との間の少なくとも１つの補助底部ヒンジ切れ目であり、端フラップ折り目から補助第３のヒンジ折り目まで延在する少なくとも１つの補助底部ヒンジ切れ目と
によって境界づけられる、前文のいずれか１つに記載の包装構造体。
Ｎ．  底部ヒンジ部分が、第１のヒンジ折り目と第３のヒンジ折り目との間の第４のヒンジ折り目に沿って互いに折り畳み可能に接続される第１の付属部および第２の付属部を備える、前文のいずれか１つに記載の包装構造体。
Ｏ．  パネルが、
端フラップ折り目に直角に方向付けられる側部フラップ折り目によってプラットフォーム部に折り畳み可能に接続される側部フラップ部と、
端フラップ折り目に直角に方向付けられる追加側部フラップ折り目によってプラットフォーム部に、および側部フラップ折り目と反対側のプラットフォーム部の側部に折り畳み可能に接続される追加側部フラップ部と
をさらに備え、
係合位置において、側部フラップ部が、プラットフォーム部の支持面に向かって側部フラップ折り目に沿って折り畳まれ、追加側部フラップ部が、プラットフォーム部の支持面に向かって追加側部フラップ側部フラップ折り目に沿って折り畳まれる、前文のいずれか１つに記載の包装構造体。
Ｐ．  係合位置において、側部フラップ部が、プラットフォーム部と側部フラップ部との間に鈍角を形成し、追加側部フラップ部が、プラットフォーム部と追加側部フラップ部との間に追加鈍角を形成する、文Ｏに記載の包装構造体。
Ｑ．  対向する頂部壁および底部壁、ならびに頂部壁と底部壁との間に延在する対向する第１および第２の側壁を有するボックスであり、頂部壁および第１の側壁が、ボックスの第１のコーナー縁を形成するように第１の縁に沿って出合い、頂部壁および第２の側壁が、ボックスの第２のコーナー縁を形成するように第２の縁に沿って出合うボックスと、
係合位置における文Ｐに記載の包装構造体であり、側部フラップ部が、ボックスの第１のコーナー縁に係合するように延在し、追加側部フラップ部が、ボックスの第２のコーナー縁に係合するように延在する包装構造体と
を備える包装アセンブリ。
Ｒ．  係合位置における文Ａから文Ｐのいずれか１つに記載の包装構造体と、
包装構造体をボックス内の係合位置に保持するように係合位置において包装構造体に対応する内部寸法を有するボックスと
を備える、包装アセンブリ。
Ｓ．  前文のいずれか１つに記載の包装構造体のフィルムとプラットフォーム部との間に物体を挿入するステップと、
フィルムに張力を加え、フィルムとプラットフォーム部との間に物体を拘束するように係合位置に包装構造体を配置するステップと
を含む、物体を包装する方法。
Ｔ．  包装構造体を係合位置に保持するように、物体をボックスに拘束する包装構造体を配置するステップをさらに含む、文Ｓに記載の方法。
【００６１】
本明細書において列挙された任意の数値範囲は、任意のより低い値と任意のより高い値との間に少なくとも２単位の分離があることを条件として、１単位刻みでより低い値からより高い値までのすべての値を含んでいる。一例を挙げれば、成分の量またはプロセス変数の値（たとえば、温度、圧力、時間）が１〜９０、２０〜８０、３０〜７０のいずれかに及ぶことができ、あるいは少なくとも１、２０、もしくは３０、および／または多くても９０、８０、もしくは７０のいずれかであり得ることが述べられているならば、この場合、１５〜８５、２２〜６８、４３〜５１、および３０〜３２、ならびに少なくとも１５、少なくとも２２、および多くとも３２などの値が本明細書において明確に列挙されていることが意図される。１未満の値の場合、１単位は、必要に応じて０．０００１、０．００１、０．０１、または０．１であると考えられる。これらは特に意図されているものの例に過ぎず、列挙された最も低い値と最も高い値との間の数値の可能な組み合わせはすべて、同様にして本明細書に明確に記述されていると考えられるべきである。
【００６２】
上の説明は、本発明のさまざまなおよび／または好ましい実施形態の説明である。さまざまな改変および変化が、特許請求の範囲に規定された本発明の趣旨およびより広い態様から逸脱することなく行われることができ、これは、均等論を含めて特許法の原理に従って解釈されるべきである。特許請求の範囲および特定の例の場合を除いて、または明示的に別段の定めをした場合は、物質量、反応条件、使用条件、分子量、および／または炭素原子量、等を示す本説明の数量はすべて、本発明の最も広い範囲を説明する場合は「約（ａｂｏｕｔ）」という語によって修正されると理解されるべきである。開示の項目の任意の参照、あるいは冠詞「１つの（ａ）」、「１つの（ａｎ）」、「その（ｔｈｅ）」、または「前記（ｓａｉｄ）」を用いた単数の特許請求の範囲の要素の任意の参照は、そのように明示的に記述されない限り、項目または要素を単数に限定するものと解釈されるべきではない。本出願に記述された定義および開示は、組み入れられた参照に存在し得るいかなる相反する定義および開示も支配するものである。確認されているＡＳＴＭ試験の最新の、現在承認されている、かつ公開版に対するＡＳＴＭ試験の参照はすべて、本出願の優先権出願日現在のものである。それぞれのこの種のＡＳＴＭ試験法は、その全体が参照により本明細書に組み込まれる。
【図１】
0005997298.tif 000002
【図２】
0005997298.tif 000003
【図３】
0005997298.tif 000004
【図４】
0005997298.tif 000005
【図５】
0005997298.tif 000006
【図６】
0005997298.tif 000007
【図７】
0005997298.tif 000008
【図８】
0005997298.tif 000009
【図９】
0005997298.tif 000010
【図１０】
0005997298.tif 000011
【図１１】
0005997298.tif 000012
【図１２】
0005997298.tif 000013
【図１３】
0005997298.tif 000014